(57)【要約】【課題】廃棄の際に、ロータを分解したり材料分別したりする必要が無い回転ロータを提供する。【解決手段】中空のロータ１と、前記ロータ１の外周長手方向に設けられたブラシ体５、６と、前記ロータ１の端部に固着されると共に、機器側に設けられた軸体（図示せず）で回転自在に軸支される軸受Ａ１１、軸受Ｂ１２を備え、前記ロータ１と前記軸受Ａ１１、軸受Ｂ１２を樹脂材料で形成したもので、ロータ１が中空なので軽く、また、金属からなる軸体などが無く、しかもロータ１、軸受Ａ１１、軸受Ｂ１２が樹脂材料で形成されているので、回転ロータ１０を廃棄する際、ロータ１を分解したり、材料を分別したりする必要が無い。【選択図】図２
2009153872.tif 000002
【特許請求の範囲】
【請求項１】
中空のロータと、前記ロータの外周長手方向に設けられた清掃部材と、前記ロータの端部に固着されると共に、機器側に設けられた軸体で回転自在に軸支される軸受を備え、前記ロータと前記軸受を樹脂材料で形成した回転ロータ。
【請求項２】
中空のロータと、前記ロータの外周長手方向に設けられた清掃部材と、前記ロータの端部に固着されると共に、機器側に設けられた軸受部で回転自在に軸支される軸体を備え、前記ロータと前記軸体を樹脂材料で形成した回転ロータ。
【請求項３】
清掃部材を樹脂材料で形成した請求項1又は２に記載の回転ロータ。
【請求項４】
請求項１〜３のいずれか１項に記載の回転ロータを回転自在に備えた掃除機用吸込具。
【請求項５】
請求項４に記載の掃除機用吸込具を備えた電気掃除機。
【請求項６】
室内熱交換器と、前記室内熱交換器の上流側に配され、前記室内熱交換器を通過する空気に含まれる塵埃を捕捉するエアーフィルタと、請求項１〜３のいずれか１項に記載の回転ロータとを備え、前記回転ロータで、前記エアーフィルタに付着した塵埃を除去することを特徴とする空気調和機。
【発明の詳細な説明】
【技術分野】
【０００１】
本発明は、目的物の清掃や洗浄に用いられる回転ロータと、その回転ロータを用いた掃除機用吸込具、電気掃除機及び空気調和機に関するものである。
【背景技術】
【０００２】
従来のこの種の回転ロータは、一般に、外周長手方向に複数の溝を有するロータと、前記溝に装着される略帯状の清掃部材と、前記ロータのそれぞれの端部に固着されると共に回転ロータが組み込まれる掃除機用吸込具などの機器に回転自在に軸支されるブラケット或いは回転軸から構成されている。ロータを形成する材料として、近年は、アルミニュームなどの金属或いは樹脂などが用いられているが、金属の場合、強度的には非常に優れているが、回転ロータが重くなり、それを回転駆動する電動機が大型化したり、又、成形時には金属を溶融するため、生産時の安全確保が難しいなどの課題があり、軽量化、製造、組み立て時の容易性、安全性の観点で、ロータを樹脂で形成するのが望ましい。
【０００３】
ロータを樹脂で形成した回転ロータとして、両端に金属製の回転軸を有し合成樹脂製のロータと、前記ロータの外周長手方向に形成された複数の溝と、前記溝に装着される摺接片から構成されたものがある（例えば、特許文献１参照）。
【０００４】
また、樹脂製のロータ内に、そのロータを回転させるためのモータを内設した回転ロータも提案されている（例えば、特許文献２参照）。
【特許文献１】特公平８−１５４７４号公報
【特許文献２】特開２００１−１５７６５７号公報
【発明の開示】
【発明が解決しようとする課題】
【０００５】
しかしながら、上記特許文献１に記載された従来の回転ロータの回転軸は、金属製でしかもロータに直接或いは、ロータに固着されロータとは材質の異なるブラケットにインサート成形されているため、ロータと回転軸との分離が困難となり、ロータを廃棄する際、材料の分別が困難で、分別に要するコストがアップするという課題があった。
【０００６】
また、上記特許文献２に記載された従来の回転ロータの構成では、ロータ内に金属の外郭を有するモータが取り付けられているため、回転ロータを廃棄する際、ロータからモータを取り出す必要があり、特殊な工具を必要とし、しかも材料の分別に手間がかかるなどの課題があった。  
【０００７】
本発明は、上記従来の課題を解決するもので、ロータの廃棄の際に、ロータを分解したり、材料分別したりする必要が無い回転ロータと、材料分別の容易な掃除機用吸込具、電気掃除機及び空気調和機を提供することを目的とするものである。
【課題を解決するための手段】
【０００８】
前記従来の課題を解決するために、本発明の回転ロータは、中空のロータと、前記ロータの外周長手方向に設けられた清掃部材と、前記ロータの端部に固着されると共に、機器側に設けられた軸体で回転自在に軸支される軸受を備え、前記ロータと前記軸受を樹脂材料で形成したもので、ロータが中空なので軽く、また、金属からなる軸体などが無く、しかもロータ、軸受の両方が樹脂材料で形成されているので、ロータの廃棄の際に、ロータを分解したり、材料分別したりする必要が無い。
【０００９】
また、本発明の回転ロータは、中空のロータと、前記ロータの外周長手方向に設けられた清掃部材と、前記ロータの端部に固着されると共に、機器側に設けられた軸受部で回転自在に軸支される軸体を備え、前記ロータと前記軸体を樹脂材料で形成したもので、ロータが中空なので軽く、また、金属からなる軸体などが無く、しかもロータ、軸体の両方が樹脂材料で形成されているので、ロータの廃棄の際に、ロータを分解したり、材料分別したりする必要が無い。
【００１０】
また、本発明の掃除機用吸込具は、第１〜３のいずれか１項に記載の回転ロータを回転自在に備えたもので、材料分別の容易な掃除機用吸込具を提供することができる。
【００１１】
また、本発明の電気掃除機は、請求項４に記載の掃除機用吸込具を備えたもので、材料分別の容易な電気掃除機を提供することができる。
【００１２】
また、本発明の空気調和機は、室内熱交換器と、前記室内熱交換器の上流側に配され、前記室内熱交換器を通過する空気に含まれる塵埃を捕捉するエアーフィルタと、請求項１〜３のいずれか１項に記載の回転ロータとを備え、前記回転ロータで、前記エアーフィルタに付着した塵埃を除去するもので、材料分別の容易な空気調和機を提供することができる。
【発明の効果】
【００１３】
本発明の回転ロータは、ロータの廃棄の際に、ロータを分解したり、材料分別したりする必要が無いもので、その回転ロータを用いることで、材料分別の容易な掃除機用吸込具、電気掃除機及び空気調和機を提供することができる。
【発明を実施するための最良の形態】
【００１４】
第１の発明は、中空のロータと、前記ロータの外周長手方向に設けられた清掃部材と、前記ロータの端部に固着されると共に、機器側に設けられた軸体で回転自在に軸支される軸受を備え、前記ロータと前記軸受を樹脂材料で形成したもので、ロータが中空なので軽く、また、金属からなる軸体などが無く、しかもロータ、軸受の両方が樹脂材料で形成されているので、ロータの廃棄の際に、ロータを分解したり、材料分別したりする必要が無い。
【００１５】
第２の発明は、中空のロータと、前記ロータの外周長手方向に設けられた清掃部材と、前記ロータの端部に固着されると共に、機器側に設けられた軸受部で回転自在に軸支される軸体を備え、前記ロータと前記軸体を樹脂材料で形成したもので、ロータが中空なので軽く、また、金属からなる軸体などが無く、しかもロータ、軸体の両方が樹脂材料で形成されているので、ロータの廃棄の際に、ロータを分解したり、材料分別したりする必要が無い。
【００１６】
第３の発明は、特に、第１又は第２の発明の清掃部材を樹脂材料で形成したもので、清掃部材も樹脂材料で形成されているので、回転ロータを分解したり、材料を分別したりすること無く、回転ロータを丸ごと廃棄することができる。
【００１７】
第４の発明による掃除機用吸込具は、第１〜３のいずれか１項に記載の回転ロータを回転自在に備えたもので、材料分別の容易な掃除機用吸込具を提供することができる。
【００１８】
第５の発明による電気掃除機は、請求項４に記載の掃除機用吸込具を備えたもので、材料分別の容易な電気掃除機を提供することができる。
【００１９】
第６の発明による空気調和機は、室内熱交換器と、前記室内熱交換器の上流側に配され、前記室内熱交換器を通過する空気に含まれる塵埃を捕捉するエアーフィルタと、請求項１〜３のいずれか１項に記載の回転ロータとを備え、前記回転ロータで、前記エアーフィルタに付着した塵埃を除去するもので、材料分別の容易な空気調和機を提供することができる。
【００２０】
以下、本発明の実施例について、図面を参照しながら説明する。なお、この実施例によって本発明が限定されるものではない。
（実施例１）
【００２１】
図１は、本発明の第１の実施例における回転ロータの斜視図、図２は、同回転ロータの断面図、図３は、同回転ブラシのブラシ体の斜視図、図４は、図２のＡ−Ａ断面図である。    
【００２２】
図１〜4において、本実施例における回転ロータ１０は、ロータ１と、ロータ１の外周長手方向に螺旋状に形成されたブラシ体保持部３ａ、３ｂに保持される清掃部材としてのブラシ体５、６と、ロータ１の左右それぞれの端部に嵌合固着される軸受Ａ１１と、軸受Ｂ１２から構成されている。
【００２３】
軸受Ａ１１、軸受Ｂ１２のそれぞれは、樹脂材料で成形されるとともに、掃除機用吸込具（図示せず）などの機器に設けられた軸体（図示せず）で回転自在に軸支される軸孔１１ａ、１２ａを備え、更に軸受Ｂ１２の外周には、図２に示すように、機器に内蔵された電動機などの駆動手段（図示せず）で駆動されるタイミングベルト（図示せず）を張架するためのギア１２ｂが形成されている。
【００２４】
ロータ１の左右の端部と軸受Ａ１１、Ｂ１２との固定は、接着、溶着或いは、一方に孔（図示せず）を設け、他方に前記孔に嵌合する爪（図示せず）を設けて、爪嵌合等で行うと良い。
【００２５】
次に、ブラシ体５、６の詳細について、図３を用いて説明する。
【００２６】
ブラシ体５、６のそれぞれは、図３に示すように、略帯状で、シリコンゴム、ナイロン、塩ビなどの樹脂材料からなるブラシ基部５ａ、６ａと、外径が０．１mm程度の密集した樹脂材料からなる繊維や、外径が０．５ｍｍ以上の樹脂などから形成された多数の細棒などでブラシ状に構成され、ブラシ基部５ａ、６ａに接着、溶着などの方法で固着されるブラシ部材５ｂ、６ｂから構成されている。
【００２７】
尚、ブラシ体５、６のブラシ基部５ａ、６ａを、樹脂材料からなる繊維（縦糸、横糸）を織って布状とし、その繊維間にブラシ部材５ｂ、６ｂを織り込んで形成しても良い。
【００２８】
次に、ロータ１の詳細について、図４を用いて説明する。
【００２９】
ロータ１は、中空状で材厚が０．８〜２．５ｍｍの中空基部２と、前記中空基部２の外周部の略全周を覆うように、しかも一体に形成されると共に、材厚が０．５〜２．０ｍｍで、ブラシ体５、６を保持するブラシ体保持部３ａ、３ｂとから構成されている。ロータ１は、ＡＢＳ（アクリロニトリルブタジエンスチレン）樹脂や、ＰＳ（ポリスチレン）樹脂などの樹脂材料で螺旋状に形成され、さらに、ブラシ体保持部３ａ、３ｂの最大回転外径が２０ｍｍ以下になるように設定している。
【００３０】
ロータ１を螺旋状に形成する方法として、樹脂を連続的に所定の捩り角度で捩りながら押し出して成形する押し出し成形がある。この方法によれば、生産性に優れ、しかも、金型、設備、製品において、安価に製作することが出来る。ロータ１を螺旋状に形成する他の方法として、インジェクション(射出)成形も可能であるが、金型コスト、製品コストが高く、また、螺旋形状の離型など難易度が高いことは歪めない。
【００３１】
ブラシ体保持部３ａ、３ｂは、図４に示すように、ロータ１の外周の周方向で交互に配され、ブラシ体保持部３ａは、ブラシ体５のブラシ基部５ａを保持する基部支持部３ｃを備え、その基部支持部３ｃの下方、すなわちブラシ体保持部３ａの底面部には、空間部３ｅが形成されている。
【００３２】
一方ブラシ体保持部３ｂは、ブラシ体６のブラシ基部６ａを保持する基部支持部３ｄを備え、さらに基部支持部３ｄを、基部支持部３ｃよりロータ１の半径方向で内方に位置させるようにして、ロータ１の半径方向で、基部支持部３ｄの位置と基部支持部３ｃとの位置をずらしている。
【００３３】
本実施例では、ロータ１のブラシ体保持部３ａ、３ｂにブラシ体５、６をそれぞれ装着し、ロータ１を回転させたときに、ブラシ体５、６のブラシ部材５ｂ、６ｂそれぞれの先端での回転半径が略同一になるように、ブラシ部材５ｂ、６ｂの突出長さＬ１、Ｌ２を設定している。
【００３４】
以上のように、本実施例によれば、ロータ１が中空なので軽く、また、金属からなる軸体などが無く、ロータ１、軸受Ａ１１、軸受Ｂ１２、ブラシ体５、６の全てが樹脂材料で形成されているので、回転ロータ１０を廃棄する際、回転ロータ１０を分解したり、材料を分別したりすること無く、丸ごと廃棄することができる。また、ロータ１が軽量なので、動バランスが良くなり、回転ロータ１０の回転時の騒音、振動を低減することもできる。
【００３５】
万が一、洗浄性能や耐久性能の関係で、ブラシ体５、６の一部或いは全体に、金属材料など樹脂材料以外の材料を用いる必要がある場合、ロータ１の左右の端部と軸受Ａ１１、Ｂ１２との固定を爪嵌合等で行うようにしておけば、ロータ１と軸受Ａ１１、Ｂ１２とが簡単に分離できるので、ブラシ体保持部３ａ、３ｂからブラシ体５、６を簡単に取り外せるようになり、材料分別が極めて容易である。
【００３６】
また、ロータ１の半径方向で、基部支持部３ｄの位置と基部支持部３ｃとの位置をずらしているので、基部支持部３ｃと基部支持部３ｄのそれぞれに装着されるブラシ体５、６のブラシ基部５ａ、６ａの幅寸法を十分確保することが出来る。
【００３７】
（実施例２）
図５は、本発明の第２の実施例における回転ロータの断面図である。尚、上記第１の実施例における回転ロータと同一部分については、同一符号を付してその説明を省略する。
【００３８】
上記第１の実施例では、ロータ１の端部に、機器側に設けた軸体を支持する軸受Ａ１１、軸受Ｂ１２を設けたが、本実施例における回転ロータ１６は、それに代えて、機器側に設けた軸受（図示せず）で回転自在に支持される軸１３ａ、１４ａをそれぞれ一体に有すると共に樹脂材料で形成された軸体Ａ１３と、軸体Ｂ１４を嵌合固着したもので、他の構成は、上記第１の実施例と同一である。
【００３９】
また、軸体Ｂ１４の外周には、軸受１２と同様に、機器内のタイミングベルト（図示せず）を張架するためのギア１４ｂが形成されている。
【００４０】
以上のように、本実施例によれば、ロータ１が中空なので軽く、また、金属からなる軸体などが無く、ロータ１、軸体Ａ１３、軸体Ｂ１４、ブラシ体５、６の全てが樹脂材料で形成されているので、回転ロータ１６を廃棄する際、回転ロータ１０を分解したり、材料を分別したりすること無く、丸ごと廃棄することができる。また、ロータ１が軽量なので、動バランスが良くなり、回転ロータ１６の回転時の騒音、振動を低減することもできる。
【００４１】
尚、本実施例では、上記第１の実施例と同様に、ロータ１のそれぞれの端部と軸体Ａ１３、軸体Ｂ１４との固定を接着、溶着又は爪嵌合等で行うようにしているが、特に爪嵌合で固定するようにすれば、万が一、ブラシ体５、６の一部或いは全体に、金属材料など樹脂材料以外の材料を用いることがあっても、ロータ１と軸体Ａ１３、軸体Ｂ１４とが簡単に分離できるので、ブラシ体保持部３ａ、３ｂからブラシ体５、６を簡単に取り外すことができ、材料分別が極めて容易である。
【００４２】
（実施例３）
図６は、本発明の第３の実施例における掃除機用吸込具の斜視図と、裏面図である。なお、上記実施例における回転ロータと同一部分については、同一符号を付してその説明を省略する。
【００４３】
図６において、本実施例における掃除機用吸込具１９の本体１９ａ内には、上記実施例における回転ロータ１０（又は１６）と、電動機２０と、電動機２０の回転軸（図示せず）と回転ロータ１０（又は１６）の軸受Ｂ１２（又は軸体Ｂ１４）のギア１２ｂ（又は１４ｂ）間に張架されるタイミングベルト２１が配され、本体１９ａの後方中央部には、上下、左右回動自在で、電気掃除機（図示せず）に接続された延長管（図示せず）に着脱自在に接続される接続管２２が設けられ、本体１９ａの底面１９ｂの前後に、一対ずつ走行用の車輪２３が設けられ、同底面１９ｂの前部には、回転ロータ１０（又は１６）のブラシ体５、６が臨むと共に、塵埃を吸引する吸引口２４が形成されている。
【００４４】
以上のように構成された本実施例における掃除機用吸込具１９の動作は、以下の通りである。
【００４５】
掃除機用吸込具１９を、接続管２２を介して、電気掃除機の延長管に接続し、同電気掃除機を運転しながら、掃除機用吸込具１９を床面上で移動させると、床面上の塵埃が、回転ロータ１０（又は１６）のブラシ体５、６で掻き取られ、空気と共に、吸引口２４から吸引され、接続管２２、延長管、ホース（図示せず）を通って、電気掃除機の集塵部（図示せず）で捕捉される。
【００４６】
以上のように、本実施例によれば、ロータ１の廃棄の際に材料分別を要しない回転ロータ１０（または１６）を用いているので、材料分別の容易な掃除機用吸込具１９を提供することができる。
【００４７】
また、回転ロータ１０、１６は軽量で、動バランスに優れているので、低騒音、低振動で、しかも、清掃効率の良い掃除機用吸込具１９を提供することができる。
【００４８】
また、低騒音、低振動で、しかも、清掃効率の良い掃除機用吸込具１９を、電気掃除機に接続すれば、同じく低騒音、低振動で、材料分別が容易な電気掃除機を提供することが出来る。
【００４９】
（実施例４）
図７は、本発明の第４の実施例における空気調和機の要部斜視図及び部分断面図である。なお、上記実施例と同一部分については、同一符号を付してその説明を省略する。
【００５０】
図７において、本実施例における空気調和機は、室内熱交換器（図示せず）と、同室内熱交換器の上流側に配され、前記室内熱交換器を通過する空気に含まれる塵埃を捕捉すると共に、枠体２７ａと、枠体２７ａに一体に張り付けられたネットフィルタ２７ｂから構成されたエアーフィルタ２７と、図示しない駆動手段Ａで、エアーフィルタ２７の上流側表面に沿って移動可能に設けられた塵埃除去装置２８と、可撓性に優れたダクト２９を介して塵埃除去装置２８に接続された吸引装置３０を備えている。
【００５１】
塵埃除去装置２８は、図示しない駆動手段Ｂで回転駆動される回転ロータ１０（又は１６）を内蔵すると共に、エアーフィルタ２７と対向する面には、回転ロータ１０（又は１６）のブラシ体５、６が臨むと共に吸引装置３０と連通する開口部２８ａが設けられている。なお、エアーフィルタ２７と回転ロータ１０（又は１６）の位置関係は、図７（ｂ）に示すように、開口部２８ａを通して、回転ロータ１０（又は１６）のブラシ体５、６がエアーフィルタ２７の上流側表面に摺接できるようになっている。
【００５２】
以上のように構成された本実施例における空気調和機の動作は、以下の通りである。
【００５３】
エアーフィルタ２７に付着した塵埃を除去するときは、吸引装置３０を運転しながら、駆動手段Ａ及び駆動手段Ｂを駆動すると、塵埃除去装置２８が、エアーフィルタ２７の一端（図７（ａ）に示す例では左端）から他端（右端）に向かって移動開始すると同時に、回転ロータ１０（又は１６）が回転し、ブラシ体５、６が、エアーフィルタ２７の表面に付着した塵埃を掻き取り、その掻き取られた塵埃は、開口部２８ａから吸引され、ダクト２９を経て吸引装置３０に送られ、外部に排出されるようになっている。
【００５４】
以上のように、本実施例によれば、廃棄の際に材料分別を要しない回転ロータ１０（または１６）を用いているので、廃棄の際、材料分別が容易な空気調和機を提供することができる。
【００５５】
また、回転ロータ１０、１６は軽量で、動バランスに優れているので、エアーフィルタ清掃用の回転ロータ１０（又は１６）を有する清掃ユニット（図示せず）の軽量化、低騒音化、低振動化が図られ、空気調和機の軽量化、低騒音化、低振動化にもつながる。
【産業上の利用可能性】
【００５６】
以上のように、本発明にかかる回転ロータは、ロータの廃棄の際に、ロータを分解したり、材料分別したりする必要が無いもので、各種掃除機用吸込具、電気掃除機及び空気調和機などに広く応用できる。
【図面の簡単な説明】
【００５７】
【図１】本発明の第１の実施例における回転ロータの斜視図
【図２】同回転ロータの断面図
【図３】同回転ブラシのブラシ体の斜視図
【図４】図２のＡ−Ａ断面図
【図５】本発明の第２の実施例における回転ロータの断面図
【図６】（ａ）本発明の第３の実施例における掃除機用吸込具の斜視図、（ｂ）同掃除機用吸込具の裏面図
【図７】（ａ）本発明の第４の実施例における空気調和機の要部斜視図、（ｂ）図７（ａ）のＢ−Ｂ断面図
【符号の説明】
【００５８】
１  ロータ
２  中空基部
３ａ、３ｂ  ブラシ体保持部
５、６  ブラシ体（清掃部材）    
１０、１６  回転ロータ
１１  軸受Ａ
１２  軸受Ｂ
１３  軸体Ａ
１４  軸体Ｂ
１９  掃除機用吸込具
【図１】
2009153872.tif 000003
【図２】
2009153872.tif 000004
【図３】
2009153872.tif 000005
【図４】
2009153872.tif 000006
【図５】
2009153872.tif 000007
【図６】
2009153872.tif 000008
【図７】
2009153872.tif 000009